(57)【要約】【課題】植物を観賞するための器として共通のある植木鉢、花瓶及び水盤を、斬新な発想で一つの器で使用可能な形態に工夫し、室内に飾っても豪華な印象を与え、多様な植木及び生け花を行うことが可能な多様性器体を提供すること。【解決手段】外観上豪華さを有する口部６の広い器本体１の内部に、植木鉢３、受台１８付き剣山１６又は生け花をまとめる補助具１９を取り替え自在に収容し、また、外観上豪華さを有する器本体１の底部に、上方に向かって起立する筒状の上端が開放した透水性を有する突起部２２を設け、該突起部２２に剣山１６、２４又は生け花をまとめるための補助具１９を取り替え自在に備え、さらには、外観上豪華さを有する口部６の広い器本体１の底部に、上方に向かって起立する筒状の上端が開放した突起部２２を設け、該突起部２２の上端は器本体１の口部６よりも上方に突出していることを特徴とする。【選択図】        図１
2004305691.tif 000002
【特許請求の範囲】
【請求項１】
外観上豪華さを有する口部（６）の広い器本体（１）の内部に、植木鉢（３）、受台（１８）付き剣山（１６）又は生け花をまとめる補助具（１９）を取り替え自在に収容していることを特徴とする多様性器体。
【請求項２】
外観上豪華さを有する器本体（１）の底部に、上方に向かって起立する筒状の上端が開放した透水性を有する突起部（２２）を設け、該突起部（２２）に剣山（１６、２４）又は生け花をまとめるための補助具（１９）を取り替え自在に備えることを特徴とする多様性器体。
【請求項３】
外観上豪華さを有する口部（６）の広い器本体（１）の底部に、上方に向かって起立する筒状の上端が開放した突起部（２２）を設け、該突起部（２２）の上端は器本体（１）の口部（６）よりも上方に突出していることを特徴とする多様性器体。
【請求項４】
器本体（１）に柔軟性と弾力性を保有する排水用のホース（８）を連結し、該ホース（８）の端部は、受水容器（１５）に導かれていることを特徴とする請求項１、２又は３記載の多様性器体。
【請求項５】
器本体（１）に柔軟性と弾力性を保有する排水用のホース（８）を連結し、該ホース（８）には、流路を開閉するための栓部材（１７）が着脱可能に備えてあることを特徴とする請求項１、２又は３記載の多様性器体。
【請求項６】
器本体（１）には、脚部（２５）を備え、該脚部（２５）の内部には、前記ホース（８）及び前記受水容器（１５）を収容するための空間部（２６）を有していることを特徴とする請求項４又は５記載の多様性器体。
【請求項７】
器本体（１）の底位置に器本体（１）を載置し且つ支持するための架台（２）を備え、該架台（２）には、前記ホース（８）を架台（２）内に導くためのくり抜き部（１４）が形成されていることを特徴とする請求項４又は５記載の多様性器体。
【請求項８】
前記補助具（１９）には、浮上防止手段（２１、２８、２９）が備えてあることを特徴とする請求項１記載の多様性器体。
【発明の詳細な説明】
【０００１】
【発明が属する技術分野】
本発明は、木や草花を植える植木鉢を内部に収容することができると共に、生け花を生ける水盤や花瓶としても使用することができる器体に関するものである。
【０００２】
【従来の技術】
従来、土壌を入れて木や草花を植える植木鉢と、生け花を生ける花瓶や水盤とは、対象となる植物の様態及び用法も異なり、両者は別異の商品として取り扱われている。そのため、各植物を観賞する際には、それに応じた器を使用する必要があり、また、その都度、器を換えなければならなず非常に面倒な面があった。
【０００３】
ところで、近年、室内において観賞する植木や生け花に対する嗜好が多様化し、それに伴って木や草花を植える植木鉢さらには生け花を生ける花瓶や水盤についても従来のものとは異なる変化を求めるようになってきた。
【０００４】
しかし、植木鉢については、未だプラスチック製や素焼製の廉価なものが使用されているのが現状であり、そのため、木や草花の持つ華やかさや豪華さ並びに趣等を最大限に引き出すことができず、また、室内に飾るにも植木鉢のみが浮いてしまい、全体的に見栄えを損ねてしまう問題がある。しかも、植木鉢の底位置には、植木に水を供給した際に植木鉢の底部から流出する余分な水を受け取る受け皿が必要となり、仮に植木鉢を豪華なものにしたとしても、プラスチック製の廉価な受け皿があることによって、一層見栄えを損ねてしまうことは避けることができないところである。さらに、植木には土壌を使用するため、水やりや手入れを行っているうちに、どうしても植木鉢や受け皿が汚れてしまい、汚らしい印象を与えてしまい、室内に飾るには抵抗を有してしまう問題もある。
【０００５】
【発明が解決しようとする課題】
そこで本発明は、前記事情に基づいてなされたものであり、植物を観賞するための器として共通のある植木鉢、花瓶及び水盤を、斬新な発想で一つの器で使用可能な形態に工夫し、室内に飾っても豪華な印象を与え、多様な植木及び生け花を行うことが可能な多様性器体を提供することを目的とする。
【０００６】
【課題を解決するための手段】
上記目的を達成するために、本発明のうち請求項１記載の発明は、外観上豪華さを有する口部の広い器本体の内部に、植木鉢、受台付き剣山又は生け花をまとめる補助具を取り替え自在に収容していることを特徴とする。
一つの器本体を植木鉢、水盤、花瓶として利用するためには、口部が広い器本体であるので、例えば、植木鉢として利用する場合は、器本体の内部に植木鉢をそのまま収容すればよく、水盤として利用する場合は、器本体が植木鉢を内部に収容できる深さがあるため、受台付きの剣山を内部に収容することで器本体の上方に剣山を位置させればよく、花瓶として利用する場合は、器本体の内部に補助具を収容することで口部を狭めればよい。
【０００７】
このように構成することにより、器本体の内部に植木鉢を収容した場合は、器本体の内部に植木鉢の外観が隠れるため、仮に植木鉢がプラスチック製などの廉価なものでも十分であり、土壌などにより汚れてしまっていても外観に現れることがなく、また、器本体から植木や草花が直接出ている印象を与えることができるため、器本体の豪華さと相まって、非常に外観上の見栄えの優れた商品価値の高い植木鉢として好適である。また、器本体の内部に受台付き剣山を収容した場合は、器本体を、一般的に使用されている生け花を生けるための水盤、例えば上端を大きく開口し背丈の低い形状にすることなく、豪華な水盤として使用することができ、今までにない斬新な印象とも相まって、非常に見栄えの良好な商品価値の高い水盤として好適である。さらに、器本体の内部に生け花をまとめるための補助具を収容した場合は、器本体の口部が狭まり、器本体を生け花を生けるための豪華な花瓶として使用することができ、生け花を広がらずまとまった形に生けることができることも相まって、非常に見栄えの良好な商品価値の高い花瓶として好適である。このように、器本体の内部に収容する物を換えることにより、一つの器本体で植木鉢や水盤及び花瓶といった様々な使い方をすることができ、汎用性に非常に優れた商品価値の高い器体となる。
【０００８】
ここで、器本体としては、内部に植木鉢、受け台と剣山及び補助具を収容可能で且つ外観上豪華さを有していればどの容器でもよく、材質も問わないが、より一層豪華さを醸し出すためにも陶器、銅器、陶磁器、石製の加工品などにすることが望ましい。
植木鉢の材質に関しては、特に限定しないが、陶磁器、ガラス製、金属製、プラスチック製、木製などが挙げられる。植木鉢の収容状態としては、器本体の底面に載置し内部に完全に収容してもよいが、植木鉢を別の物と取り替える場合、器本体内に手を挿入する必要がなく簡便に作業が行え、また、収容した際に植木鉢の不動状態を確実に保つことができるよう、器本体の口部周縁に植木鉢の上端を支持し、器本体の底面から浮いた状態に収容することが望ましい。
受台については、剣山を器本体の開口部付近に配置できるように上げ底され且つ不動状態を確保できればどのような形状でもよく、材質に関しても陶磁器、ガラス製、金属製、プラスチック製、木製など特に限定するものではない。
補助具については、器本体内に生け花が広がらずまとまった形に生けることができ且つ収容した際に不動状態を保持することができればどのような形状でもよく、収容状態に関しても、特に限定するものではなく、器本体の底面に載置して内部に完全に収容してもよいし、器本体の口部周縁に補助具の上端を支持し、器本体の底面から浮いた状態になるように収容してもよい。また、材質に関しては、陶磁器、ガラス製、金属製、プラスチック製、木製など特に限定しないが、比較的質量の軽い水に浮くような材質、例えばプラスチック等により形成する場合は、補助具に浮上防止手段を備えることが望ましい（請求項８）。
【０００９】
また、請求項２記載の発明は、外観上豪華さを有する器本体の底部に、上方に向かって起立する筒状の上端が開放した透水性を有する突起部を設け、該突起部に剣山又は生け花をまとめるための補助具を取り替え自在に備えることを特徴とする。
一つの器本体を水盤、花瓶として利用するためには、器本体の底部に突起部を設けてあるので、例えば、水盤として利用する場合は、突起部の上端に剣山を載置することで器本体の上方に剣山を位置させればよく、花瓶として利用する場合は、突起部内に補助具を挿嵌することで器本体の口部を狭めればよい。
【００１０】
このように構成することにより、前記と同様に、器本体の内部に収容する物を換えることにより、一つの器本体で水盤及び花瓶といった様々な使い方をすることができることはもちろんのこと、特に、請求項２記載の発明においては、器本体の底部と突起部を一体形成しているため、突起部に剣山及び補助具を安定に備えることができると共に、突起部により剣山及び補助具の備える位置が定まっているため、器本体の内部に備える作業が非常に容易となる。
【００１１】
ここで、器本体としては、底部に突起部を形成することができ、その突起部に剣山及び補助具を備えても器本体の内部に完全にそれらを収容することが可能な大きさで、更には外観上豪華さを有していればどの容器でもよく、材質も問わないが、より一層豪華さを醸し出すためにも陶器、銅器、陶磁器、石製の加工品などにすることが望ましい。
突起部に透水性を持たせる手段としては、例えば突起部の外周面に筒内に貫通する透水孔を形成しておくこと等が挙げられる。
剣山とは、一般的に使用されている剣山の他に、生け花の茎を差し込んで支えることが可能であるものを全て含む概念であり、例えばスポンジ等の吸水部材や複数のパイプ部材等を縦に集合したもの等が挙げられる。突起部に備える方法については、一般的に使用されている剣山の場合は突起部の上面に載置すればよく、吸水部材の場合は突起部内に充填させればよく、複数のパイプ部材の場合は突起部内に各パイプ部材が不動状態を保持することが可能なように挿嵌すればよい。
補助具については、器本体内に生け花が広がらずまとまった形に生けることができ且つ突起部内に挿嵌し不動状態を保持することができればどのような形状でもよい。また、材質に関しては、陶磁器、ガラス製、金属製、プラスチック製、木製など特に限定するものではない。
【００１２】
さらに請求項３記載の発明は、外観上豪華さを有する口部の広い器本体の底部に、上方に向かって起立する筒状の上端が開放した突起部を設け、該突起部の上端は器本体の口部よりも上方に突出していることを特徴とする。
一つの器本体を植木鉢や花瓶として利用するためには、例えば器本体内部の突起部の外周面側に土壌を入れて木や草花を植えることによって植木鉢として使用し、さらに、突起部の内部に水を入れて花瓶として使用することができる。
【００１３】
このように構成することにより、器本体と突起部の内部に収容するもの、例えば土壌や水等を換えることにより、一つの器本体で植木鉢や花瓶といった様々な使い方をすることができると共に、様々な使い方をする際においても、補助具等が不必要であるため作業が非常に簡略なものとなり、器本体の外観上の豪華さとも相まって、汎用性に非常に優れた商品価値の高い器体となる。特に、請求項３記載の発明においては、一つの器本体の内部を中心部分とその外周部分の二箇所に完全に仕切る構成になっているため、例えば口部の広い器本体の内部に土壌を入れて草花を植え、突起部の内部には水を入れて生け花を生ける等、一つの器本体を同時に植木鉢と花瓶として使用することができ、非常に斬新な印象に加えて、外観上非常に豪華なものとなる。また、突起部の上端が器本体の口部より上方に位置しているため、器本体と突起部に植えたり生けたりする植物や花に段差を生じさせることが可能となり、植木や花に立体感を出すことができるため、非常に見栄えを良好にすることができる。尚、器本体の材質をガラスやプラスチック等のような透明性を有するものにすることにより、植木鉢や花瓶として使用するのみでなく、器本体を水槽としても使用することが可能ともなり、突起部には生け花を器本体には観賞魚を入れる等、非常に斬新な発想であることはもちろんのこと、一つの器本体を多岐に亘る使用目的として活用することができる。
【００１４】
ここで、器本体としては、口部を広く形成し、底部に突起部を一体形成すると共に、突起部の上端を器本体の口部よりも上方に位置するように形成され且つ外観上豪華さを有していればどの容器でもよく、材質も問わないが、前記と同様に、より一層豪華さを醸し出すためにも陶器、銅器、陶磁器、石製の加工品などにすることが望ましい。
【００１５】
請求項４記載の発明のように、器本体に柔軟性と弾力性を保有する排出用のホースを連結し、該ホースの端部を受水容器に導くことにより、器本体を植木鉢として利用した場合、植木や草花に水を供給した際に、例えば器本体の内部に直接土壌を入れて植木等を行った場合には、供給しすぎた余分な水をホースを介して外部の受水容器へ容易に排水することが可能であり、また、器本体の内部に植木鉢を収容した場合には、土壌を通り抜け植木鉢の底面などから器本体内に流出する余分な水をホースを介して外部の受水容器へ容易に排水することが可能であるため、植木鉢を器本体に収容した状態のまま、さらには、器本体を移動させることなく植木や草花に水を補給することができ、植木や草花の根腐れを防ぎ、生き生きとした状態を常に保つことができる。
【００１６】
ここで、ホースの連結箇所に関しては、特に限定しないが、器本体を設置する際の妨げにならない箇所に備えることが望ましく、さらには、器本体内に溜まった水の排水を効率的に行うために、器本体の底、あるいは底面に沿う位置、つまり底面と同一面上に連結させることが望ましい。また、体裁を良好にするために、器体を飾った際に連結箇所が背面に位置するようにすることが望ましい。器本体とホースの連結方法に関しては、固定式及び着脱可能式など特に問わないが、器本体に水抜孔を形成し、該水抜孔よりも１５％〜３０％大きな外径を有したホースを水抜孔内に弾力を利用して圧入し、ホースを水抜孔の内周壁に強固に固定する方法、水抜孔の内周壁にタケノコネジが形成されたホース取付部材を固着しタケノコネジ部をホース内に嵌め込む方法、また、器本体にジョイントを取り付けホースと連結させる方法などを挙げることができる。この際、器本体内から効率良く余分な水を排水可能にするために、水抜孔内に圧入したホース、水抜孔内に固着したホース取付部材及びジョイントの先端部分は、器本体の内面と面一にすることが望ましい。ホースに関しては、柔軟性と弾力性を保有していれば特に問わないが、器本体と連結部分には柔軟性と弾力性により優れたシリコン製のホースを使用することが望ましい。
【００１７】
請求項５記載の発明のように、器本体に柔軟性と弾力性を保有する排水用のホースを連結し、該ホースに流路を開閉するための栓部材を着脱可能に備えることにより、器本体を水盤や花瓶として利用した場合、器本体内に生け花を生けた状態のまま、ホースに備えられた栓部材を開口し、古い水を排水した後、ホースを閉口し、器本体上面の口部から新しい水を注入すれば、生け花及び器本体を移動させることなく容易に水交換を行うことができ、生け花のみずみずしい状態を長期間にわたって保つことができる。
【００１８】
ここで、ホースの連結箇所及び連結方法に関しては、前記同様であり、栓部材に関しては、器本体内の水の排水及び止水を行うことが可能なものであれば特に問わないが、ホースの先端部分にコルクやキャップなどを嵌め込みホースを閉口し、外して開口してもよいし、ホースの先端部分を折り曲げクリップ止めをすることでホースを閉口し、外して開口してもよいし、また、ホースの一部にペンチ型のホース把持具で狭持し閉口し、緩めて開口できるようにしてもよい。ホースに関しては、器本体とホースの連結部分及び栓部材を備え付ける二箇所に、前記同様にシリコン製のホースを使用することが望ましい。
【００１９】
請求項６記載の発明のように、器本体に脚部を備え、該脚部の内部に前記ホース及び前記受水容器を収容するための空間部を有することにより、器本体を載置した際に器本体の起立状態が安定に保持されると共に、器本体に連結したホース及び受水容器を脚部内の空間部に収容することが出来るため外観上の見栄えを非常に良好にすることができる。脚部の備える箇所に関しては、ホース及び受水容器を収容可能な空間部を形成することができる箇所であれば特に限定するものではなく、器本体の底位置に備えてもよいし、器本体の口部から器本体を収容するように備えてもよい。
【００２０】
また、請求項７記載の発明のように、器本体の底位置に器本体を載置し且つ支持するための架台を備え、該架台に前記ホースを架台内に導くためのくり抜き部を形成することにより、器本体の載置状態が安定に保持されると共に、架台内にホース及び受水容器を収納することが可能であり、器体の体裁を非常に良好にすることができる。また、ホースを器本体の底位置に連結させることが可能となり、器本体内から水を完全に排水することができるため、植木及び草花並びに生け花のみずみずしい状態を長期間にわたって保つことができる。さらに、架台を豪華な感じのものにすれば、器本体の豪華さと植木及び草花並びに生け花の華やかさと相まって、見栄えがより一層豪華なものとなる。架台に関しては、家具台型及び御膳台型並びにテーブル台型などその形態は限定されず、また、その材質についても、木、陶磁器、金属、プラスチック、ガラスなど、どのような材料で形成してもよく、さらに見栄えを良くするために模様や色彩を施してもよい。また、くり抜き部は、ホースのみが貫通する大きさに形成してもよいが、器本体の載置状態をより安定にするために、くり抜き部の周縁で器本体の底部分を係止可能な大きさに形成することが望ましい。
【００２１】
器本体内の水を排水するには、器本体を植木鉢として使用する場合のように、予めホースの先端部分に受水容器が備えられている場合もあるが、ホースの先端部分にバケツや洗面器等の排水を入れる容器を置くことで容易に排水できる。また、ホースを長いものにすることで、ホースの先端部分を器体を載置した場所から離れたシンクや野外等の排水場所に持っていくことが可能となり、受水容器が不要となると共に、器体を移動させることなく器本体内の水を遠く離れた排水場所に排水することができる。この際、ホースは架台又は脚部の空間部内に収納しておくことも可能であり、見栄えが損なわれることを防ぐことができる。さらに、ホースを器体の載置場所から離れた排水場所まで這わせておけば、器本体内の水の排水を行うたびにホースを離れた排水場所に持っていく必要がなくなるため、より一層簡便に排水作業を行うことができる。この場合、柔軟性と弾力性を保有するホースを使用しているため、生活面上でホースが邪魔になったり、危険物になる問題はない。長いホースを使用する場合は、器本体とホースの連結部分及び栓部材を備え付ける部分にのみシリコン製のホースを使用し、他の部分にはビニール製のホースなどを使用し低コスト化を図ることが望ましい。その際、２種類のホースは、ジョイントや両端にタケノコネジが形成された取付部材で連結させればよい。
【００２２】
【発明の実施の形態】
以下、本発明の実施形態を図面に基づいて説明する。
【００２３】
図１は、本発明の第１実施形態を示すもので、器体は、器本体１と、架台２と、器本体１の内部に収容する植木鉢３と、から構成し、収容した植木鉢３内のみに土壌４を入れて木や草花５を植えることで、器体自体を植木鉢としているものである。器本体１は球状の上端が大きめに開口している口部６を有する形状をしており、その底部分には糸底状をなす脚部７を備えると共に、植木や草花５に水を供給することで植木鉢３から流出する水を器本体１外に排水するためのシリコンホース８が連結してある。器本体１の底部にシリコンホース８を備えることで、器本体１内の水を効率よく完全に排水することができる。また、器本体１の底部の中心部分は、器本体１内の水をより確実且つ完全に排水可能なように段差状に低くしてある。段差状に低くした中心部分には水抜孔９を形成し、水抜孔９よりも２０％〜２５％大きな外径を有したシリコンホース８の一端を水抜孔９内に弾力を利用して圧入して、強固に水抜孔９の内周壁に固定している。水抜孔９内に圧入したシリコンホース８の先端部分は、器本体１内の水が完全に排水されるように底部と面一になっている。器本体１内に収容する植木鉢３は、一般的に販売されているプラスチック製の上方に向かって末広がり状に上端が開口している形状のものであり、口部周縁には外向き係止部１０が形成してある。また、周側面及び底面には透水孔１１が形成されており、底面には、透水孔１１から土壌４がこぼれ出ないように網目状部材１２が載置してある。植木鉢３の収容状態は、器本体１の口部６周縁に植木鉢３の係止部１０を係合し、器本体１の底部から植木鉢３が浮いた状態に収容している。架台２は、内部に空洞部１３を形成するように断面コ字状に形成し、架台２の中心部には、器本体１の底部に連結したシリコンホース８を空洞部１３に導き且つ器本体１の脚部７を空洞部１３に挿入し器本体１を安定に支持するためのくり抜き部１４が形成されている。空洞部１３には、器本体１から排水された水を受け取る受水容器１５が収容されている。
【００２４】
図２は、本発明の第２実施形態を示すもので、第１実施形態と大きく相違するところは、器本体１内に剣山１６を収容することで、器体自体を生け花を生けるための水盤としている点である。水盤として使用するには、器本体１内に供給された水を止水する必要があるため、シリコンホース８の先端部分は折り曲げクリップ１７止めしてある。器本体１の大きさは植木鉢３を収容可能なように形成してあるため、剣山１６を器本体１の底部に載置すると、生け花を生ける場合に不都合が生じるため、器本体１の底部から断面コ字型の周面に透水孔１１を形成した剣山１６の受台１８を載置し、剣山１６を器本体１の上方に位置するようにしている。
【００２５】
図３は、本発明の第３実施形態を示すもので、第２実施形態と相違するところは、器本体１の内部にプラスチック製の底面を備えた筒状容器１９を収容することで、器体自体を花瓶として使用している点である。器本体１の内部に筒状容器１９を収容することで、器本体１の口部６を狭めることができ、生け花が広がらずまとまった形に生けることができる。筒状容器１９の周面及び底面には透水孔１１を形成し、筒状容器１９の上下周縁からは、水平方向に大きく張出する係止部２０ａ、２０ｂを形成し、係止部２０ａ、２０ｂの先端部を器本体１の内周壁に係合させることで、不動状態を保持して器本体１内に収容している。また、筒状容器１９の上周縁の係止部２０ａの端部には弾力部材２１が備えてあり、弾力部材２１が器本体１の内周壁に弾力を利用して強固に密着することで、器本体１内での不動状態を確実に保持すると共に、器本体１内に水を注入した際に筒状容器１９が浮遊することを防ぐことができる。弾力部材２１は、係止部２０ａの全周にわたって連続して備えてもよいし、対向する位置に備えてもよい。
【００２６】
図４は、本発明の第４実施形態を示すもので、第３実施形態と相違するところは、器本体１内に植木鉢３を収容し、その植木鉢３の底面に筒状容器１９を載置し器体自体を花瓶として使用している点である。植木鉢３の収容状態は、第１実施形態と同様に、器本体１の口部６周縁に植木鉢３の係止部１０を係合し、器本体１の底部から植木鉢３が浮いた状態に収容している。筒状容器１９は底面を備えておらず、また、上周縁のみに係止部２０ａを形成してある。係止部２０ａの端部には弾力部材２１が備えてあり、弾力部材２１が植木鉢３の内周面に弾力を利用して強固に密着することにより、筒状容器１９の不動状態を保持し且つ水を注入した際に浮遊することを防ぐことができる。
【００２７】
図５は、本発明の第５実施形態を示すもので、第２実施形態と大きく相違するところは、器本体１の底部に剣山１６を備えるための受台１８を載置する替わりに、器本体の底部に上方に向かって起立する円筒状の突起部２２を形成し、突起部２２の上端に剣山１６を載置している点である。さらには、器本体１の形状を上方に向かって大きく開口する口部６を有する水盤型にすると共に、器本体１を架台２ではなく脚部７によって支持している点である。器本体１は、突起部２２と脚部７を一体形成し、水盤型の器本体１の周側壁２３を突起部２２の上方から下方に向けて嵌め込み、脚部７の上端面に周側壁２３の下端を載置するように固着するものである。固着方法に関しては、器本体１内の水が漏れることを確実に防ぐこと可能であれば特に問わず、例えば、溶接や接着剤等を挙げることができる。突起部２２の周側面には透水孔１１が形成され、透水孔１１の下端が器本体１の周側壁２３の底面と面一になっているため、器本体１内の水を排水する際に、器本体１の周側壁２３と突起部２２の間に水が溜まることを防ぎ、器本体１内の水をシリコンホース８により確実に排水することができる。
【００２８】
図６は、本発明の第６実施形態を示すもので、第５実施形態と相違するところは、突起部２２の内部に筒状容器１９を挿嵌し、水盤型の器本体１を花瓶としている点である。筒状容器１９は円筒状を成しており、周側面には透水孔１１が形成されている。下端の透水孔１１は、突起部２２内に挿嵌した際に突起部２２に形成された透水孔１１と連通するように設けてある。
【００２９】
図７は、本発明の第７実施形態を示すもので、第５実施形態と相違するところは、器本体１の周側壁２３が第１実施形態のように球状の上端が大きめに開口している口部６を有する形状をなしている点と、突起部２２内に適数のパイプ部材２４を縦に揃えて集合したものを挿嵌し、生け花の茎をパイプ部材２４内に差し込んでいる点である。また、器本体１を水盤として利用するには深すぎるため、突起部２２の突出高さが口部６付近にまで達しており、器本体１内の水の排水をよりスムーズに行えるように、透水孔１１の数を多く形成している。パイプ部材は器本体内の水を完全に排水できるように透水性を有していることが望ましく、例えばパイプ部材の周側面に透水孔を形成したり、パイプ部材自体を網目状に形成する等の方法が挙げられる。
【００３０】
図８は、本発明の第８実施形態を示すもので、第７実施形態と相違するところは、器本体１の周側壁２３が球状の上端が小さめに開口した口部６を有する形状を成しており、突起部２２を口部６付近位置まで突出させると共に、使用用途が花瓶に限定されている点である。
【００３１】
図９は、本発明の第９実施形態を示すもので、第５実施形態と相違するところは、突起部２２の上端を口部６よりも上方位置にまで突出させると共に、突起部２２の周側面に透水孔１１を形成せず、器本体１の内部を突起部２２とその外周部とに完全に仕切り、突起部２２内には水を入れて生け花を生ける花瓶とし、外周部には土壌を入れて草花を植える植木鉢としている点である。また、器本体１の内部が２つの領域に仕切られているため、器本体１の周側壁２３にもシリコンホース８を備え、外周部に植えた草花に水を供給した際に出る余分な水を器本体１の外部に排水可能にしている。器本体１の周側壁２３の底面に沿う位置に水抜孔９を形成し、水抜孔９よりも２０％〜２５％大きな外形を有したシリコンホース８の一端を水抜孔９内に弾力を利用して圧入して、強固に水抜孔９の内周壁に固定している。水抜孔９内に圧入したシリコンホース８の先端部分は、外周部内の水を容易に排水できるように周側壁２３の内面と面一になっている。尚、外周部は植木鉢や花瓶として使用するのみでなく、周側壁２３をガラスなどの透明性を有する材質で形成することにより、水槽としても使用可能となり非常に利用範囲に優れた器体にすることができる。
【００３２】
図１０は、本発明の第１０実施形態を示すもので、第１実施形態と相違するところは、器本体１が脚部２５によって支持されている点と、器本体１の形状が上方に向かって径広がり状に大きく開口した口部６を有する植木鉢型をしている点である。脚部２５の形状は、上方に向かって径広がり状をなす筒型であり、上端部分が器本体１の口部６と連結するように形成されている。即ち、脚部２５内に器本体１が収容された状態になっている。脚部２５と器本体１とにより囲まれてできた空間部２６には、器本体１の底面に形成された水抜孔９内に圧入されたシリコンホース８及び器本体１内からの排水を受ける受水容器１５が収容されている。器本体１内への植木鉢３の収容状態は、器本体１の口部６周縁に植木鉢３の係止部１０が係合し且つ植木鉢３が器本体１の底面から載置されている状態である。
【００３３】
図１１は、本発明の第１１実施形態を示すもので、第１０実施形態と大きく相違するところは、器本体１の内部に剣山１６を収容することで、器体自体を生け花を生けるための水盤としている点である。また、脚部２５の下側部にシリコンホース８よりも大きな外径を有する取出孔２７を形成し、シリコンホース８の先端部分を取出孔２７を介して外部に飛び出させ排水作業を器体の外部で行えるようにしてあると共に、器本体１内に供給された水の止水を行うために、外部に飛び出したシリコンホース８の先端部分を折り曲げクリップ１７止めしてある。剣山１６の収容状態は、第２実施形態と同様に、器本体１の底面から断面コ字型の周面に透水孔１１を形成した剣山１６の受台１８を載置し、剣山１６を器本体１の上方に位置するようにしている。
【００３４】
図１２は、本発明の第１２実施形態を示すもので、第１１実施形態と相違するところは、器本体１の底面からプラスチック製の筒状容器１９を載置することで、器体自体を花瓶としている点である。筒状容器１９の周面には透水孔１１を形成し、筒状容器１９の上周縁からは、水平方向に大きく張出する係止部２０ａが形成してある。係止部２０ａの周端面には凹状の案内溝２８が形成してあり、対向する箇所の係止部２０ａの下面に、案内溝２８に達する切欠（図示省略）が形成してある。筒状容器１９を器本体１の口部６から挿入する際に、切欠から案内溝２８内に、器本体１の内側壁の上方に内側に向かって突設した突起片２９を嵌め込み、筒状容器１９を案内溝２８に沿って左右どちらか一方向に少し回転させることで、器本体１内での筒状容器１９の不動状態を保つと共に、器本体１内に水を供給した際に筒状容器１９が浮遊することを防ぐことができる。案内溝２８は係止部２０ａの全周にわたって設けてもよいし、切欠の形成する箇所にのみ設けてもよい。切欠の個数は器本体１の大きさに応じて変えてもよい。
【００３５】
【発明の効果】
請求項１記載の発明によれば、器本体の内部に収容するものを換えることにより、一つの器本体で植木鉢や水盤、花瓶など変化に富んだ多様の用法で使用ができ、器本体の豪華さとも相まって、見栄え及び汎用性に非常に優れた商品価値の高い器体を提供することができる。また、口部が広い器本体であるため、器本体を水盤や花瓶として使用した場合、見る角度などを計算して生けられた生け花に触れることなく器本体内に水を容易に供給することができ、利便性にも非常に優れた器体となる。
【００３６】
請求項２記載の発明によれば、器本体の底部に透水性を有する突起部を一体形成し、突起部に備えるものを換えることにより、前記効果に加え、突起部に剣山及び補助具を安定に備えることができると共に、突起部により剣山及び補助具の備える位置が定まっているため、器本体の内部に剣山等を備える作業が非常に容易な器体となる。
【００３７】
請求項３記載の発明によれば、器本体の底部に突起部を一体形成し、突起部の上端を器本体の口部よりも上方に位置させることにより、前記効果と同様に、一つの器本体で多様な使い方をすることができることはもちろんのこと、器本体の内部を中心部分とその外周部分の二箇所に完全に仕切る構成になっているため、一つの器本体を同時に植木鉢と花瓶として使用することができ、非常に斬新な印象に加えて、外観上非常に豪華な器体となる。
【００３８】
請求項４記載の発明によれば、器本体を植木鉢として使用した場合、器本体に排水用のホースを連結することで、器本体の底位置に汚らしい廉価な受け皿を必要とせず、外観上の見栄えが良好になると共に、水やりなどの手入れが器本体を動かすことなく簡便に行えるため、植木の根腐れを確実に防ぐことが可能となり、植木の健康な状態を長期にわたって保つことができる植木鉢として商品価値に優れた器体を提供することができる。
【００３９】
請求項５記載の発明によれば、器本体を花瓶や水盤として使用した場合、器本体に排水用のホースを連結することで、器本体内の水交換作業を器本体を動かすことなく容易に行うことができるため、生け花のみずみずしい状態を長期間にわたって保つことが可能となり、花瓶や水盤として非常に商品価値の高い器体を提供することができる。
【００４０】
請求項６記載の発明によれば、器本体に脚部を備えることで、器体の起立状態を確実に保持することが可能であると共に、脚部内に排水用のホース及び受水容器を収容することが可能となり、体裁の非常に良好な器体となる。
【００４１】
請求項７記載の発明によれば、器本体の底位置に架台を備えることで、排水用のホースを器本体の底部に連結することが可能となり、効率よく器本体内の水の完全排水を行うことができ、また、より豪華な雰囲気を醸し出すことができることも相まって、非常に利便性に優れた器体を提供することができる。
【００４２】
請求項８記載の発明によれば、補助具に浮上防止手段を備えることにより、補助具をプラスチックなどの比較的質量の軽い水に浮く材質から形成することが可能となり、低コスト化を図ることができる。
【図面の簡単な説明】
【図１】本発明の第１実施形態を示す断面図である。
【図２】本発明の第２実施形態を示す断面図である。
【図３】本発明の第３実施形態を示す断面図である。
【図４】本発明の第４実施形態を示す断面図である。
【図５】本発明の第５実施形態を示す断面図である。
【図６】本発明の第６実施形態を示す断面図である。
【図７】本発明の第７実施形態を示す断面図である。
【図８】本発明の第８実施形態を示す断面図である。
【図９】本発明の第９実施形態を示す断面図である。
【図１０】本発明の第１０実施形態を示す断面図である。
【図１１】本発明の第１１実施形態を示す断面図である。
【図１２】本発明の第１２実施形態を示す断面図である。
【符号の説明】
１  器本体
２  架台
３  植木鉢
６  口部
８  シリコンホース（ホース）
１４  くり抜き部
１５  受水容器
１６  剣山
１７  クリップ（栓部材）
１８  受台
１９  筒状容器（補助具）
２１  弾力部材（浮上防止手段）
２２  突起部
２４  パイプ部材（剣山）
２５  脚部
２６  空間部
２８  案内溝（浮上防止手段）
２９  突起片（浮上防止手段）
【図１】
2004305691.tif 000003
【図２】
2004305691.tif 000004
【図３】
2004305691.tif 000005
【図４】
2004305691.tif 000006
【図５】
2004305691.tif 000007
【図６】
2004305691.tif 000008
【図７】
2004305691.tif 000009
【図８】
2004305691.tif 000010
【図９】
2004305691.tif 000011
【図１０】
2004305691.tif 000012
【図１１】
2004305691.tif 000013
【図１２】
2004305691.tif 000014